(57)【要約】【課題】煩わしさなく下手側回転軸の外方側を覆う状態で装着することが可能なものでありながら、長期にわたり良好な搬送処理を行えるようにすることが望まれていた。【解決手段】穀稈搬送装置１１に、横向きの下手側回転軸１９に間隔をあけて設けられた左右の下手側輪体２２と、上手側回転軸に設けられた上手側輪体と、にわたって左右の無端回動体が巻回され、左右の下手側輪体２２同士の間に筒状の巻付き防止カバー２９が備えられ、巻付き防止カバー２９は、下手側回転軸１９の軸芯方向に沿って分割された二つの分割カバー体２９Ａ，２９Ｂにて構成され、二つの分割カバー体２９Ａ，２９Ｂは重複部５２を有するように差し込まれており、正面視において、穀稈搬入口３５のうちで扱胴９の回転方向上手側に他方側の分割カバー体２９Ｂが位置し、扱胴９の回転方向下手側に一方側の分割カバー体２９Ａが位置している。【選択図】図５
2019193622.tif 000002
【特許請求の範囲】
【請求項１】
機体前部に設けられた刈取部と、前記刈取部の後部に接続され且つ前記刈取部にて刈取られた刈取穀稈の全稈を後方に向けて搬送する穀稈搬送装置と、前記穀稈搬送装置によって搬送される刈取穀稈を脱穀処理する脱穀装置とが備えられ、
前記脱穀装置に、機体前後方向に沿う軸芯周りで回転駆動される扱胴が備えられ、
前記穀稈搬送装置に、穀稈搬送用の搬送ケースと、前記搬送ケースの搬送方向下手側に架設された横向きの下手側回転軸と、前記下手側回転軸の軸芯方向に間隔をあけて前記下手側回転軸に設けられた左右の下手側輪体と、前記搬送ケースの搬送方向上手側に架設された横向きの上手側回転軸と、前記上手側回転軸に設けられた上手側輪体と、前記下手側輪体と前記上手側輪体とにわたって巻回されるとともに左右方向に間隔をあけて設けられた左右の無端回動体と、搬送方向において間隔をあけた状態で、前記左右の無端回動体にわたって横向きに架設される複数の搬送部材と、左右の下手側輪体同士の間において前記下手側回転軸に外挿される筒状の巻付き防止カバーとが備えられ、
前記脱穀装置の前壁部に、正面視で前記扱胴の下部に対応する位置に穀稈搬入口が形成され、
前記穀稈搬送装置は前記穀稈搬入口に接続され、
前記巻付き防止カバーは、前記下手側回転軸の軸芯方向に沿って分割された二つの分割カバー体にて構成され、且つ、前記二つの分割カバー体のうちの一方側の分割カバー体は、前記二つの分割カバー体のうちの他方側の分割カバー体の端部に、重複部を有するように差し込まれており、
前記巻付き防止カバーは、正面視において、前記扱胴の回転方向上手側に前記他方側の分割カバー体が位置し、前記扱胴の回転方向下手側に前記一方側の分割カバー体が位置する状態で備えられているコンバイン。
【請求項２】
前記重複部は、正面視において、前記左右の前記下手側輪体同士の間の左右中央位置よりも、前記穀稈搬入口における前記扱胴の回転方向上手側に偏倚した箇所に位置している請求項１に記載のコンバイン。
【請求項３】
前記一方側の分割カバー体と前記他方側の分割カバー体とを径方向に貫通して固定する締結具が備えられ、
前記締結具は、正面視において、前記重複部の左右中央位置よりも、前記穀稈搬入口における前記扱胴の回転方向上手側に偏倚した箇所に位置している請求項１又は２に記載のコンバイン。
【請求項４】
前記締結具は、前記巻付き防止カバーの周方向に間隔をあけて複数備えられている請求項３に記載のコンバイン。
【請求項５】
前記刈取部は、前記穀稈搬送装置の横幅よりも幅広の刈幅を有し、
前記穀稈搬送装置は、正面視において、前記刈取部に対して前記穀稈搬入口における前記扱胴の回転方向上手側に対応する側に偏倚する状態で、前記刈取部に連結されている請求項１から４のいずれか１項に記載のコンバイン。
【請求項６】
左右の前記下手側輪体夫々の左右方向内方側の側面に、前記巻付き防止カバーの形状と略同じ形状であって全周に亘って凹入する周溝が形成され、
前記巻付き防止カバーは、前記一方側の分割カバー体の左右方向一方側端部が、左右方向一方側に位置する前記下手側輪体に形成された前記周溝に嵌まり込み、且つ、前記他方側の分割カバー体の左右方向他方側端部が、左右方向他方側に位置する前記下手側輪体に形成された前記周溝に嵌まり込む状態で設けられ、
前記一方側の分割カバー体の一方側端部と前記他方側の分割カバー体の他方側端部が同じ外径であり、
前記他方側の分割カバー体は、前記一方側の分割カバー体と重複する一方側端部の外径が前記他方側端部の外径よりも大径に形成されている請求項１から５のいずれか１項に記載のコンバイン。
【請求項７】
前記他方側の分割カバー体における左右方向中央位置よりも左右方向他方側に偏倚した箇所に、前記他方側端部が小径となるように変形された絞り部が形成されている請求項６に記載のコンバイン。
【請求項８】
前記下手側輪体は、
径方向内方側に位置して前記下手側回転軸に対して一体回転可能に外嵌装着される基端部と、前記基端部の径方向外方側に位置して外周部に前記無端回動体が巻回される巻き掛け部が備えられた輪体本体部とを備え、かつ、前記基端部が、前記輪体本体部よりも軸芯方向に突出する突出筒部を有する状態で前記輪体本体部よりも軸芯方向に幅広に形成され、
前記下手側回転軸の外周面に平面部が形成され、
前記基端部における前記突出筒部のうち前記平面部に対向する位置に、径方向に沿うネジ孔が形成され、
前記ネジ孔を通して装着されるボルトを前記平面部に当て付けて、前記下手側輪体の軸芯方向の位置保持を行う請求項１から７のいずれか１項に記載のコンバイン。
【請求項９】
前記下手側回転軸の軸芯方向一端部に位置して軸芯方向に位置固定された接当部材と、
前記左右の下手側輪体のうちの一方側の下手側輪体と前記接当部材との間に設けられ、それらの間隔に相当する長さを有する第一筒部材と、
前記一方側の下手側輪体と他方側の下手側輪体との間に設けられ、それらの間隔に相当する長さを有する第二筒部材と、
前記他方側の下手側輪体を軸芯方向に位置固定可能な固定部材とが備えられている請求項１から８のいずれか１項に記載のコンバイン。
【発明の詳細な説明】
【技術分野】
【０００１】
本発明は、刈取部にて刈取られた刈取穀稈の全稈を後方に向けて搬送する穀稈搬送装置が備えられているコンバインに関する。
【背景技術】
【０００２】
コンバインの穀稈搬送装置は、搬送方向下手側に位置する横向きの駆動軸（下手側回転軸の一例）に備えられた左右の駆動スプロケット（下手側輪体の一例）と、搬送方向上手側に位置する横向きの上手側回転軸に備えられた上手側輪体と、にわたって左右の無端回動チェーン（無端回動体に相当）が巻回され、左右の無端回動チェーンにわたって複数の搬送部材が架設支持されている。そして、駆動軸に刈取穀稈が巻き付くのを防止するために、左右の駆動スプロケットの間において、駆動軸を覆う巻付き防止カバーが備えられている。
【０００３】
そして、巻付き防止カバーは、合成樹脂にて構成され、左右の駆動スプロケットに亘って延びる幅広の内側カバー体と、その内側カバー体における軸芯方向両側箇所にて外挿される幅狭の外側カバー体とを備えている。内側カバー体と外側カバー体は夫々、軸芯方向に沿ってスリットが形成され、径方向外方側から回転軸を囲うように装着可能に設けられ、回転軸の外周側に装着された状態でスリットや内外カバー体同士の隙間等をコーティング材にて塞ぐように構成されていた（例えば、特許文献１参照）。
【先行技術文献】
【特許文献】
【０００４】
【特許文献１】特開２０１５−１３９３８４号公報
【発明の概要】
【発明が解決しようとする課題】
【０００５】
上記従来構成では、巻付き防止カバーが、左右の駆動スプロケット（下手側輪体）により挟まれた箇所において、煩わしさなく容易に駆動軸の外方側を覆う状態で装着することが可能であるとともに、左右の駆動スプロケットの近くにおいては、変形し難いように剛性を高めることができるようにしたものである。
【０００６】
しかし、上記従来構成では、スリットが形成されているので、巻付き防止カバーの剛性が低くなり、搬送される刈取穀稈により押圧力を受けて、巻付き防止カバーが変形するおそれがあり、スリットの間にワラ屑が挟まりこんで滞留するおそれが大であり、短期間の使用によってワラ屑が堆積して良好な搬送処理が行えなくなる等の不利な面があった。
【０００７】
そこで、穀稈搬送装置において、左右の下手側輪体により挟まれた箇所において、煩わしさなく下手側回転軸の外方側を覆う状態で装着することが可能なものでありながら、長期にわたり良好な搬送処理を行えるようにすることが望まれていた。
【課題を解決するための手段】
【０００８】
本発明に係るコンバインの特徴構成は、機体前部に設けられた刈取部と、前記刈取部の後部に接続され且つ前記刈取部にて刈取られた刈取穀稈の全稈を後方に向けて搬送する穀稈搬送装置と、前記穀稈搬送装置によって搬送される刈取穀稈を脱穀処理する脱穀装置とが備えられ、前記脱穀装置に、機体前後方向に沿う軸芯周りで回転駆動される扱胴が備えられ、前記穀稈搬送装置に、穀稈搬送用の搬送ケースと、前記搬送ケースの搬送方向下手側に架設された横向きの下手側回転軸と、前記下手側回転軸の軸芯方向に間隔をあけて前記下手側回転軸に設けられた左右の下手側輪体と、前記搬送ケースの搬送方向上手側に架設された横向きの上手側回転軸と、前記上手側回転軸に設けられた上手側輪体と、前記下手側輪体と前記上手側輪体とにわたって巻回されるとともに左右方向に間隔をあけて設けられた左右の無端回動体と、搬送方向において間隔をあけた状態で、前記左右の無端回動体にわたって横向きに架設される複数の搬送部材と、左右の下手側輪体同士の間において前記下手側回転軸に外挿される筒状の巻付き防止カバーとが備えられ、前記脱穀装置の前壁部に、正面視で前記扱胴の下部に対応する位置に穀稈搬入口が形成され、前記穀稈搬送装置は前記穀稈搬入口に接続され、前記巻付き防止カバーは、前記下手側回転軸の軸芯方向に沿って分割された二つの分割カバー体にて構成され、且つ、前記二つの分割カバー体のうちの一方側の分割カバー体は、前記二つの分割カバー体のうちの他方側の分割カバー体の端部に、重複部を有するように差し込まれており、前記巻付き防止カバーは、正面視において、前記扱胴の回転方向上手側に前記他方側の分割カバー体が位置し、前記扱胴の回転方向下手側に前記一方側の分割カバー体が位置する状態で備えられている点にある。
【０００９】
本発明によれば、巻付き防止カバーは、二つの分割カバー体からなり、一方側の分割カバー体が他方側の分割カバー体の端部に重複部を有するように差し込まれて構成される。
このような構成の巻付き防止カバーは、円筒形状にして剛性を高めることが可能である。
又、二つの分割カバー体の重なり合う範囲を変更することで、左右方向両側端部までの長さが変化するので、例えば、重なり合う範囲を広くした状態で、左右の下手側輪体の間において下手側輪体から離間した状態で下手側回転軸の外周部に位置させておき、組付けるときに、重なり合う範囲が狭くなるように引き延ばして左右の下手側輪体に近づけた状態で設置することが可能である。
【００１０】
穀稈搬送装置によって搬送された刈取穀稈は、脱穀装置の前壁部に正面視で扱胴の下部に対応する位置に形成された穀稈搬入口を通して脱穀装置に供給される。正面視において、穀稈搬入口を目視した場合、扱胴は穀稈搬入口の左右方向一方側箇所から左右方向他方側箇所に向けて回転する状態となる。
【００１１】
そして、巻付き防止カバーは、正面視において、扱胴の回転方向上手側に大径側の他方側の分割カバー体が位置し、扱胴の回転方向下手側に小径の一方側の分割カバー体が位置する。その結果、扱胴の回転に伴って搬送される刈取穀稈が、大径側の分割カバー体の外表面から小径側の分割カバー体の外表面に向けて案内されるので、重なり合う箇所の隙間にワラ屑が入り込むおそれが少ない。
【００１２】
従って、左右の下手側輪体により挟まれた箇所において、煩わしさなく下手側回転軸の外方側を覆う状態で、巻付き防止カバーを装着することが可能なものでありながら、ワラ屑の詰まり等に起因して、巻付き防止カバーに刈取穀稈が巻き付いて堆積するおそれが少なくなり、長期にわたり良好な搬送処理を行えるようにすることが可能となった。
【００１３】
本発明においては、前記重複部は、正面視において、前記左右の前記下手側輪体同士の間の左右中央位置よりも、前記穀稈搬入口における前記扱胴の回転方向上手側に偏倚した箇所に位置していると好適である。
【００１４】
脱穀装置の内部では、回転する扱胴によって刈取穀稈が連れ持ち状態で回転しており、穀稈搬入口における扱胴の回転方向下手側箇所では、穀粒搬送装置により搬送される刈取穀稈と、扱胴によって連れ持ち状態で搬送される刈取穀稈とが合流するので、扱胴の回転方向上手側箇所に比べて、多量の刈取穀稈が存在する。しかし、本構成によれば、重複部が、扱胴の回転方向上手側に偏倚した箇所に位置するので、扱胴の回転方向下手側箇所に位置する場合に比べて、重複部によって搬送される刈取穀稈の移送が妨げられるおそれは少なく、良好な搬送処理を行い易い。
【００１５】
本発明においては、前記一方側の分割カバー体と前記他方側の分割カバー体とを径方向に貫通して固定する締結具が備えられ、前記締結具は、正面視において、前記重複部の左右中央位置よりも、前記穀稈搬入口における前記扱胴の回転方向上手側に偏倚した箇所に位置していると好適である。
【００１６】
本構成によれば、２つの分割カバー体が締結具によって固定される。締結具は径方向に貫通する状態で設けられるので、例えば、コーティング材等によって接続するものに比べて、２つの分割カバー体同士を強固に連結することができる。
【００１７】
そして、締結具は、穀稈搬入口のうちで、刈取穀稈が少ないことが想定される重複部の左右中央位置よりも扱胴の回転方向上手側に偏倚した箇所に位置しているので、扱胴の回転方向下手側に位置する場合に比べて、刈取穀稈が接触して引っ掛かり滞留するおそれが少ない。
【００１８】
本発明においては、前記締結具は、前記巻付き防止カバーの周方向に間隔をあけて複数備えられていると好適である。
【００１９】
本構成によれば、２つの分割カバー体が周方向に間隔をあけて複数箇所にて締結具により強固に連結される。例えば、軸芯と直交する方向に沿って刈取穀稈による荷重が掛かる場合であっても、１箇所だけで締結具により連結するものに比べて、２つの分割カバー体が刈取穀稈の荷重により変形するおそれが少なく、良好な搬送処理を継続して行うことが可能となる。
【００２０】
本発明においては、前記刈取部は、前記穀稈搬送装置の横幅よりも幅広の刈幅を有し、前記穀稈搬送装置は、正面視において、前記刈取部に対して前記穀稈搬入口における前記扱胴の回転方向上手側に対応する側に偏倚する状態で、前記刈取部に連結されていると好適である。
【００２１】
本構成によれば、穀稈搬送装置は、正面視において、刈取部に対して穀稈搬入口における扱胴の回転方向上手側に対応する側に偏倚している。すなわち、刈取部における穀稈搬送装置よりも前記扱胴の回転方向下手側の刈幅が、反対側すなわち前記扱胴の回転方向上手側の刈幅よりも大きくなる。その結果、穀稈搬送装置においては、扱胴の回転方向下手側の箇所が、扱胴の回転方向上手側に対応する側の箇所に比べて、多量の刈取穀稈が存在することになる。
【００２２】
従って、穀稈搬入口における扱胴の回転方向下手側箇所では、穀粒搬送装置により搬送される多量の刈取穀稈が存在するが、穀稈搬入口における扱胴の回転方向上手側箇所では、刈取穀稈の量は少ないので、重なり合う箇所の隙間にワラ屑が入り込み、ワラ屑の詰まり等に起因して、巻付き防止カバーに刈取穀稈が巻き付いて堆積するおそれが、より一層少ないものになる。
【００２３】
本発明においては、左右の前記下手側輪体夫々の左右方向内方側の側面に、前記巻付き防止カバーの形状と略同じ形状であって全周に亘って凹入する周溝が形成され、前記巻付き防止カバーは、前記一方側の分割カバー体の左右方向一方側端部が、左右方向一方側に位置する前記下手側輪体に形成された前記周溝に嵌まり込み、且つ、前記他方側の分割カバー体の左右方向他方側端部が、左右方向他方側に位置する前記下手側輪体に形成された前記周溝に嵌まり込む状態で設けられ、前記一方側の分割カバー体の一方側端部と前記他方側の分割カバー体の他方側端部が同じ外径であり、前記他方側の分割カバー体は、前記一方側の分割カバー体と重複する一方側端部の外径が前記他方側端部の外径よりも大径に形成されていると好適である。
【００２４】
本構成によれば、巻付き防止カバーの軸芯方向両側端部が、夫々、下手側輪体に形成された周溝に嵌まり込むのでラビリンス構造となり、巻付き防止カバーと下手側輪体と間の隙間にワラ屑等が挟み込まれることを回避できる。巻付き防止カバーの軸芯方向両側の外径が同じであるから、左右の下手側輪体として、左右で同一構成のものを共用することができる。
【００２５】
本発明においては、前記他方側の分割カバー体における左右方向中央位置よりも左右方向他方側に偏倚した箇所に、他方側端部が小径となるように変形された絞り部が形成されていると好適である。
【００２６】
本構成によれば、他方側の分割カバー体は、一方側の分割カバー体に対して外嵌される箇所は、一方側の分割カバー体よりも大径となるが、絞り部が形成されることにより他方側端部が小径となって、一方側の分割カバー体と同径になる。
【００２７】
従って、２つの分割カバー体が重複部を有するように差し込まれる構成としながら、巻付き防止カバーの軸芯方向両側端部を同径に形成して、左右の下手側輪体として、左右で同一構成のものを共用することが可能となる。
【００２８】
本発明においては、前記下手側輪体は、径方向内方側に位置して前記下手側回転軸に対して一体回転可能に外嵌装着される基端部と、前記基端部の径方向外方側に位置して外周部に前記無端回動体が巻回される巻き掛け部が備えられた輪体本体部とを備え、かつ、前記基端部が、前記輪体本体部よりも軸芯方向に突出する突出筒部を有する状態で前記輪体本体部よりも軸芯方向に幅広に形成され、前記下手側回転軸の外周面に平面部が形成され、前記基端部における前記突出筒部のうち前記平面部に対向する位置に、径方向に沿うネジ孔が形成され、前記ネジ孔を通して装着されるボルトを前記平面部に当て付けて、前記下手側輪体の軸芯方向の位置保持を行うと好適である。
【００２９】
本構成によれば、下手側回転軸の外周面には、下手側回転軸に回転動力を伝達するために平面部が形成されるが、その平面部を利用して、ネジ孔を通して径方向に装着されるボルトを当て付けて下手側輪体の位置保持を行う。その結果、下手側回転軸に、例えば、ボルトが径方向に入り込むための凹入部を形成する等、位置保持のための特別な穿設加工は不要であり、穿設加工によって軸強度が低下して使用に伴って早期に破損する等の不利を回避し易いものにできる。
【００３０】
本発明においては、前記下手側回転軸の軸芯方向一端部に位置して軸芯方向に位置固定された接当部材と、前記左右の下手側輪体のうちの一方側の下手側輪体と前記接当部材との間に設けられ、それらの間隔に相当する長さを有する第一筒部材と、前記一方側の下手側輪体と他方側の下手側輪体との間に設けられ、それらの間隔に相当する長さを有する第二筒部材と、前記他方側の下手側輪体を軸芯方向に位置固定可能な固定部材とが備えられている請求項と好適である。
【００３１】
本構成によれば、接当部材と一方側の下手側輪体との間隔が第一筒部材によって規制され、一方側の下手側輪体と他方側の下手側輪体との間隔が第二筒部材によって規制され、さらに、他方側の下手側輪体の軸芯方向の位置は固定部材によって規制できる。その結果、作業者が左右の下手側輪体を下手側回転軸に取り付けるような場合、煩わしい位置決め作業を行わなくても、第一筒部材、一方側の下手側輪体、第二筒部材、及び、他方側の下手側輪体を順次、嵌め込み装着するだけで位置決めを行うことができる。
【図面の簡単な説明】
【００３２】
【図１】コンバインの全体側面図である。
【図２】コンバインの全体平面図である。
【図３】フィーダの縦断側面図である。
【図４】フィーダ後部の横断平面図である。
【図５】脱穀装置の前部の正面図である。
【図６】組付け時のフィーダ後部の横断平面図である。
【図７】無端回動チェーンの一部切欠平面図である。
【図８】駆動スプロケットと無端回動チェーンとの係合状態を示す側面図である。
【図９】刈取部における右側端部の平面図である。
【図１０】別実施形態のフィーダ後部の横断平面図である。
【図１１】別実施形態のフィーダ後部における左側箇所の横断平面図である。
【図１２】別実施形態のフィーダ後部における右側箇所の横断平面図である。
【図１３】図１２のＸＩＩＩ−ＸＩＩＩ線の断面図である。
【発明を実施するための形態】
【００３３】
以下、本発明に係る普通型コンバインの実施形態を図面に基づいて説明する。
〔全体構成〕
図１、２に、稲、麦、大豆などの作物を収穫対象とする普通型のコンバインが示されている。この実施形態で、コンバインの走行機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。従って、機体左右方向が走行機体横幅方向に対応する。
【００３４】
走行機体の機体フレーム１の下部に左右一対のクローラ走行装置２を装備している。走行機体の前方側に、収穫対象の作物を収穫して後方に搬送する収穫部３が設けられている。そして、機体フレーム１上に、収穫部３から搬送される刈取穀稈を扱き処理するとともに、その扱き処理で得られた脱穀処理物を穀粒と排出物とに選別する脱穀装置４、脱穀装置４にて得られた穀粒を貯留するグレンタンク５、グレンタンク５に貯留される穀粒を機外に排出するための穀粒排出装置６、操縦者が搭乗して運転操作を行うキャビン付きの運転部７等が備えられている。コンバインは、植立穀稈の株元を切断して刈り取り、刈り取った刈取穀稈の全部を脱穀装置４に投入する全稈投入型に構成されている。
【００３５】
運転部７は機体前部右側に位置し、運転部７の後方にグレンタンク５が位置している。
さらに、脱穀装置４が左側に位置し、グレンタンク５が右側に位置する状態で、脱穀装置４とグレンタンク５とが左右方向に並ぶ状態で備えられている。そして、運転部７の下方側には、駆動用のエンジン８が備えられている。脱穀装置４は、機体前後方向に沿う軸芯周りで回転駆動される扱胴９を有し、脱穀装置４の前部に搬送される刈取穀稈を機体後方に送りながら扱胴９によって扱き処理する軸流型に構成されている。説明を加えると、図５に示すように、扱胴９は、正面視において時計周り（右回り方向）に回転駆動される。
図５に示すように、エンジン８からの動力が伝動ベルト３０を介して、扱胴９の前部に位置する伝動ケース３１内の横向き駆動軸３２に伝達され、横向き駆動軸３２からベベルギアケース３３内のベベルギア機構（図示せず）を介して扱胴９に動力が伝達される。
【００３６】
収穫部３は、前部に設けられた刈取部１０と、刈取部１０の後部に接続され且つ刈取部１０にて刈取られた刈取穀稈の全稈を後方に向けて搬送する穀稈搬送装置としてのフィーダ１１を備えている。刈取部１０は、収穫対象となる植立穀稈を刈り取り、刈り取った刈取穀稈を機体横幅中間部に横送り合流させる。フィーダ１１は、刈取部１０において合流された作物を脱穀装置４に向けて後方搬送する。これら刈取部１０とフィーダ１１を含む収穫部３は、機体フレーム１とフィーダ１１とにわたって架設された昇降用の油圧シリンダ１２が伸縮作動することで、横軸芯Ｐ１周りで昇降位置と下降位置との間で上下揺動自在に支持されている。
【００３７】
刈取部１０は、角パイプや断面Ｌ字形のアングル材等を連結して構成される刈取フレーム１３にて支持され、走行機体の最前端に設けられた左右一対のデバイダ１４と、デバイダ１４の後方かつ、上方に位置する掻込リール１５と、デバイダ１４の後方に位置する刈刃１６と、刈刃１６とフィーダ１１との間に位置する横送りオーガ１７とを備えている。
デバイダ１４は、収穫対象となる植立穀稈と非刈取対象の植立穀稈とを分草する。掻込リール１５は、収穫対象の植立穀稈を後方に向けて掻き込む。刈刃１６は、掻込リール１５により後方に掻き込まれた収穫対象の植立穀稈の株元側を切断するものであり、例えばバリカン型に構成されている。横送りオーガ１７は、刈刃１６による切断後の刈取穀稈を左右方向の中間側に横送りして寄せ集めて後方のフィーダ１１に向けて送り出す。
【００３８】
図９に示すように、右側のデバイダ１４の刈幅方向内方側箇所には、デバイダ１４にて分草された刈取対象となる植立穀稈のうち、右側端部に位置する植立穀稈の株元側箇所を刈幅方向内方側に寄せるように案内する搬送ガイド杆３４が設けられている。このように構成することで、刈刃１６の右側端部の上方箇所Ｑが開放された状態となり、運転部７にて操縦操作している運転者が、刈刃１６の位置を目視で確認することができる。
【００３９】
〔フィーダ〕
フィーダ１１について説明する。
図３に示すように、フィーダ１１に、角筒状に形成された搬送ケースとしてのフィーダケース１８が備えられている。フィーダケース１８内の搬送下手側箇所に、エンジン８からの動力が、図示しない中継軸を介して伝達されて駆動回転される横向きの下手側回転軸としての駆動軸１９が備えられている。図４及ぶ図５に示すように、駆動軸１９を回転可能に支持する支持筒部２０が左右一対の支点ブラケット２１を介して横軸芯Ｐ１周りで回動自在に脱穀装置４の前壁部に支持されている。フィーダケース１８の左右両側の側壁１８Ａが支持筒部２０に一体的に連結され、刈取部１０を含むフィーダ１１全体が横軸芯Ｐ１周りで上下揺動自在に脱穀装置４の前壁部に支持される構成となっている。
【００４０】
駆動軸１９は、断面が六角形に形成されている。この六角形の断面形状に対して嵌り合う六角形の嵌合孔を備えた下手側輪体としての左右一対の駆動スプロケット２２が、軸芯方向に沿って間隔をあけて一体回転可能に駆動軸１９に外嵌装着されている。又、駆動軸１９はフィーダケース１８の横一側外方に突出しており、その突出部にエンジン８からの動力が伝達される。
【００４１】
フィーダケース１８内の機体前端側箇所に、横向きの上手側回転軸としての従動軸２４が、横向き軸芯周りで回転可能に架設支持されている。従動軸２４に一体回転可能に上手側輪体としてのドラム型の従動輪体２５が備えられている。そして、左右一対の駆動スプロケット２２の夫々と従動輪体２５とにわたって左右一対の無端回動チェーン２６が巻回張設されている。又、左右一対の無端回動チェーン２６に亘って複数の搬送部材２７が所定ピッチで横架連結されている。従動輪体２５の外周部には、左右一対の無端回動チェーン２６の横ずれを防止する左右一対の鍔部２８が一体的に備えられている。
【００４２】
駆動軸１９に動力が伝達されて一対の無端回動チェーン２６が同方向に一体的に回動することにより、刈取部１０から供給された作物を、フィーダケース１８内において、無端回動チェーン２６の下側の移動経路と底面部１８Ｂとの間において、搬送部材２７にて掻き上げ搬送して脱穀装置４に供給する。図５に示すように、脱穀装置４の前部に、正面視において扱胴９の下部に対応する位置に穀稈搬入口３５が形成されている。フィーダ１１は、搬送してきた刈取穀稈を投入するように穀稈搬入口３５に接続されている。
【００４３】
図２に示すように、刈取部１０は、フィーダ１１の横幅よりも幅広の刈幅を有し、且つ、フィーダ１１に対して刈幅方向一方側（右側）に偏倚する状態でフィーダ１１に連結されている。上述したように扱胴９は、正面視において時計周り（右回り方向）に回転駆動される。従って、刈取部１０は、正面視において、フィーダ１１に対して穀稈搬入口３５における扱胴９の回転方向下手側に対応する側に偏倚した状態で、フィーダ１１に連結されている。
【００４４】
図５に示すように、エンジン８からの動力は、図示しない中継軸及び入力プーリ３７を介して正転動力が駆動軸１９に伝達される。又、ベベルギアケース３３内の図示しないベベルギア機構を通過した反転動力を、反転駆動軸３８及び逆転クラッチ３９を介して短時間だけ駆動軸１９に伝達させることもできる。反転動力が伝達されると、フィーダ１１は、逆向きに回転する逆転動作を行う。逆転動作は搬送詰まりが発生したとき等に用いられる。
【００４５】
無端回動チェーン２６は、図７及び図８に示すように、基本的には、複数の連結ピン４０によって枢支連結される状態で、幅方向両側の外側に位置する平板状の外リンク４１と、内側に位置する平板状の内リンク４２とを交互に縦列状態で連結して構成されている。
尚、連結ピン４０にはブッシュ４３とローラ４４とが外嵌されてピン部４５が構成されている。このピン部４５が、後述する駆動スプロケット２２の凹部２２Ａに係入することで、駆動スプロケット２２の回転駆動力が無端回動チェーン２６に伝達され、図８中の矢印方向に沿って回動操作される。
【００４６】
無端回動チェーン２６は、長手方向の経路のうち多くの経路部分が上述した外リンク４１と内リンク４２とで構成されるが、途中の一部の領域にオフセットリンク４６を使用する場合もある（図７参照）。オフセットリンク４６は、一端側が外リンク４１と同じ位置にあり、他端側が内リンク４２と同じ位置になるように、屈曲変形されたリンクであり、オフセットリンク４６を使用することで、無端回動チェーン２６の長さ調整を行える。つまり、オフセットリンク４６を取り外しても、両隣りのリンク同士をそのまま連結することが可能であり、外リンク４１と内リンク４２との連結を解除して、それらの間にオフセットリンク４６を取り付けることもでき、無端回動チェーン２６の長さ調整が可能である。オフセットリンク４６や、それに隣接するリンクは、連結解除を可能とする構造として、連結ピン４０の代わりにボルト４７（図７参照）を使用したり、又は、差し込まれたピンを抜止する構造（図示せず）を採用することができる。
【００４７】
駆動スプロケット２２について説明する。
図８に示すように、駆動スプロケット２２は、周方向に沿って複数の歯２２Ｂ（係合突部）が設けられ、隣合う歯２２Ｂどうしの間の凹部２２Ａに、無端回動チェーン２６のピン部４５が係入することができるように構成されている。凹部２２Ａは、隣合う歯２２Ｂのうち、周方向一方側に位置する歯２２Ｂの側部と、他方側に位置する歯２２Ｂの側部とに亘る底部２２Ｃを備えている。底部２２Ｃは、周方向に沿う平坦形状に形成されており、他方側の側部と一方側の側部とは、無端回動チェーン２６のピン部４５の外形に沿う湾曲形状に形成されている。
【００４８】
底部２２Ｃの周方向の幅は、ピン部４５の外径寸法よりも大に形成されている。具体的には、ピン部４５の外径寸法の２倍よりも大きい幅を有している。従って、凹部２２Ａ内に係入する無端回動チェーン２６のピン部４５は、凹部２２Ａ内で、底部２２Ｃの周方向の幅の範囲における任意の箇所に位置することが可能となる。その結果、凹部２２Ａ内に刈取穀稈が嵌まり込んだまま、駆動スプロケット２２の凹部２２Ａに無端回動チェーン２６のピン部４５が係入しても、ピン部４５は、周方向に沿って移動することで刈取穀稈を排除することができ、刈取穀稈の上に乗り上げて、無端回動チェーン２６との噛み合いが外れるような不具合を回避できる。
【００４９】
〔巻付き防止カバー〕
図４に示すように、駆動軸１９における一対の駆動スプロケット２２夫々の横方向中間側に、駆動軸１９の外周側を覆う状態で、一対の駆動スプロケット２２にわたって筒状の巻付き防止カバー２９が備えられている。
【００５０】
巻付き防止カバー２９は、駆動軸１９の軸芯方向に沿って分割された二つの分割カバー体２９Ａ，２９Ｂにて構成され、且つ、二つの分割カバー体２９Ａ，２９Ｂのうちの一方側としての右側の分割カバー体２９Ａの端部が、他方側としての左側の分割カバー体２９Ｂの端部に内嵌して重複する状態で差し込み接続されている。
【００５１】
二つの分割カバー体２９Ａ，２９Ｂは共に円筒状の金属板からなり、図４に示すように、右側の分割カバー体２９Ａは軸芯方向の全幅に亘って同一の外径寸法を有する円筒径状に構成されている。左側の分割カバー体２９Ｂの右側部分が、右側の分割カバー体２９Ａの外周部に外嵌されるように、右側の分割カバー体２９Ａに比べて少し大径に形成されている。左側の分割カバー体２９Ｂは、左側の分割カバー体２９Ｂの左右方向中央位置ＣＬ１よりも左側（左右方向他方側の一例）に寄った箇所に、左側端部が小径となるように変形された絞り部５０が形成されている。左側の分割カバー体２９Ｂの左側端部における外径寸法は、右側の分割カバー体２９Ａの外径寸法と同じになるように形成されている。
【００５２】
巻付き防止カバー２９は、左右の駆動スプロケット２２の夫々に対して差し込み装着される状態で支持されている。つまり、左右の駆動スプロケット２２夫々の左右方向内方側の側面に、巻付き防止カバー２９の形状と略同じ形状であって全周に亘って凹入する周溝５１が形成されている。巻付き防止カバー２９は、右側の端部が、右側に位置する駆動スプロケット２２に形成された周溝５１に嵌まり込み、且つ、左側の端部が、左側に位置する駆動スプロケット２２に形成された周溝５１に嵌まり込む状態で設けられている。
【００５３】
そして、巻付き防止カバー２９は、正面視において、扱胴９の回転方向上手側に左側の分割カバー体２９Ｂが位置し、扱胴９の回転方向下手側に右側の分割カバー体２９Ａが位置する状態で備えられている。又、右側の分割カバー体２９Ａと左側の分割カバー体２９Ｂとが重複する重複部５２は、左右両側の駆動スプロケット２２同士の間の左右中央位置ＣＬ２よりも扱胴９の回転方向上手側に寄った箇所に位置している。
【００５４】
説明を加えると、図５に示すように、扱胴９は、正面視において時計周り（右回り方向）に回転駆動される。そして、フィーダ１１により搬送される刈取穀稈が脱穀装置４に向けて搬入される穀稈搬入口３５は、脱穀装置４の前壁部において、扱胴９の下側部分に対応する位置に形成されている。穀稈搬入口３５に対向している扱胴９の下側部分においては、左側から右側に向けて（図５では、図面右側から図面左側に向けて）回転することになる。従って、この実施形態では、機体左側が扱胴９の回転方向上手側に対応し、機体右側が扱胴９の回転方向下手側に対応することになる。重複部５２は、左右両側の駆動スプロケット２２同士の間の左右中央位置ＣＬ２よりも左側に寄った箇所に位置するので、扱胴９の回転方向上手側に寄った箇所に位置することになる。
【００５５】
図４に示すように、右側の分割カバー体２９Ａと左側の分割カバー体２９Ｂとが重複する重複部５２のうちで扱胴９の回転方向上手側に寄った箇所にて、右側の分割カバー体２９Ａと左側の分割カバー体２９Ｂとが径方向に連結されている。説明を加えると、重複部５２において、右側の分割カバー体２９Ａと左側の分割カバー体２９Ｂとを径方向に貫通して固定する締結具５３が備えられている。その締結具５３は、図４に示すように、正面視において、重複部５２の左右中央位置よりも左側（穀稈搬入口３５における扱胴９の回転方向上手側）に偏倚した箇所に位置している。
【００５６】
締結具５３は、ボルト５４とナット５５とからなり、巻付き防止カバー２９の周方向に間隔をあけて複数（３個あるいは４個程度）備えられている。ナット５５は、重複部５２において内側に位置する右側の分割カバー体２９Ａの内面に予め溶接固定されている。ナット５５が取り付けられている箇所には、右側の分割カバー体２９Ａ及び左側の分割カバー体２９Ｃの夫々に径方向に沿って貫通するボルト挿通孔が形成されている。図４に示すように、締結具５３（ボルト５４・ナット５５）は、重複部５２のうちで左側、すなわち、扱胴９の回転方向上手側に寄った箇所に備えられている。
【００５７】
巻付き防止カバー２９及び左右の駆動スプロケット２２を駆動軸１９の外周部に組付ける場合には、次のような手順で組付けることができる。
【００５８】
先ず、駆動軸１９を左右両側の支持筒部２０を挿通するように取付ける。その際、左右両側の支持筒部２０の間において、左右両側の駆動スプロケット２２と巻付き防止カバー２９とを駆動軸１９の外方側に位置する状態で備えておく。このとき、左右の分割カバー体２９Ａ，２９Ｂは、連結されておらずスライド移動可能である。
【００５９】
左右の駆動スプロケット２２のうちのいずれか一方を、対応する支持筒部２０に対して近接配置してボルト５６で駆動軸１９に固定する。このとき、図６に示すように、左右の分割カバー体２９Ａ，２９Ｂは深く重なり合う状態として、一方の駆動スプロケット２２の外方側を開放する状態にして、ボルト５６による駆動スプロケット２２の固定作業を容易に行うことができる。次に、左右の分割カバー体２９Ａ，２９Ｂを、組付けが終了して軸芯方向の位置が固定された駆動スプロケット２２側に寄せて、反対側の駆動スプロケット２２の外方側を開放させてボルト５６によって固定する。
【００６０】
駆動スプロケット２２の左右方向の外方側の側面に、支持筒部２０の端部が入り込み可能な周溝５７が形成されている。支持筒部２０の端部が外方側の周溝５７に入り込む状態で設置されることで、ラビリンス構造によりワラ屑が駆動スプロケット２２と駆動軸１９との間の隙間に入り込むことを防止している。
【００６１】
このように左右両側の駆動スプロケット２２が固定された後、左右の分割カバー体２９Ａ，２９Ｂを軸芯方向に引き延ばして、両側端部を左右の駆動スプロケット２２夫々の左右方向内方側に形成されている周溝５１に嵌まり込むように設置する。左右の分割カバー体２９Ａ，２９Ｂを所定位置まで引き延ばして、右側の分割カバー体２９Ａ及び左側の分割カバー体２９Ｂの夫々に形成されたボルト挿通孔を重ねた状態で、外方側からボルト５４を装着してナット５５と締結して左右の分割カバー体２９Ａ，２９Ｂを固定する（図４参照）。
【００６２】
〔別実施形態〕
（１）上記実施形態では、重複部５２が、正面視において、左右の駆動スプロケット２２同士の間の左右中央位置ＣＬ２よりも左側（穀稈搬入口３５における扱胴９の回転方向上手側）に偏倚した箇所に位置する構成としたが、この構成に代えて、重複部５２が、左右方向の中間位置、あるいは、左右中央位置ＣＬ２よりも左側に偏倚する位置に設ける構成としてもよい。
【００６３】
（２）上記実施形態では、締結具５３が、正面視において、重複部５２の左右中央位置よりも左側（穀稈搬入口３５における扱胴９の回転方向上手側）に偏倚した箇所に位置する構成としたが、この構成に代えて、締結具５３が、左右中央位置付近、あるいは、左右中央位置よりも右側に偏倚する位置に設ける構成としてもよい。又、締結具５３に代えて、２つの分割カバー体２９Ａ，２９Ｂを接着材にて連結ける構成としてもよく、各種の連結構成を用いることができる。
【００６４】
（３）上記実施形態では、右側の分割カバー体２９Ａの右側端部と左側の分割カバー体２９Ｂの左側端部が同じ外径であり、左側の分割カバー体２９Ｂは、右側端部の外径が左側端部の外径よりも大径に形成され、且つ、左側端部が小径となるように変形された絞り部５０が形成される構成としたが、この構成に代えて、左側の分割カバー体２９Ｂが、右側の分割カバー体２９Ａよりも大径で且つ軸芯方向に同じ外径を有する形状としてもよい。
但し、この場合、左右の駆動スプロケット２２の周溝５１は径が異なる形態となる。
【００６５】
（４）上記実施形態に記載した構成によると、左右の駆動スプロケット２２を駆動軸１９に取り付ける場合、作業者が軸芯方向の位置を任意の位置に定めてボルト５６で駆動軸１９に固定することになる。この構成では、位置合わせが適正に行われていないと、駆動スプロケット２２が支持筒部２０に接触したり、あるいは、駆動スプロケット２２と支持筒部２０との間に隙間が生じて、その隙間からワラ屑や他の塵埃が侵入して駆動軸１９の回転に悪影響を与えるおそれがある。
【００６６】
そこで、左右の駆動スプロケット２２の軸芯方向の位置を、作業の煩わしさなく適正な位置に合わせるために、次のように構成してもよい。
【００６７】
すなわち、駆動スプロケット２２の軸芯方向一端部に位置して軸芯方向に位置固定された接当部材Ｓと、左右の駆動スプロケット２２のうちの一方側の駆動スプロケット２２と接当部材Ｓとの間に設けられ、それらの間隔に相当する長さを有する第一筒部材Ｔ１と、一方側の駆動スプロケット２２と他方側の駆動スプロケット２２との間に設けられ、それらの間隔に相当する長さを有する第二筒部材Ｔ２と、他方側の駆動スプロケット２２を軸芯方向に位置固定可能な固定部材Ｋとを備える構成である。
【００６８】
以下、具体構成について説明する。
図１０に示すように、駆動軸１９は、左右方向（軸芯方向）両側端部がベアリング７０を介して左右の支持筒部２０に回転可能に支持されている。図１１，１２に示すように、左右のベアリング７０は、左右方向外方側が抜け止めリング７１により位置規制されており、駆動軸１９は、左右のベアリング７０によって左右方向の位置が規制される。
【００６９】
上記実施形態では、説明は省略しているが、左右の駆動スプロケット２２は、径方向内方側に位置して駆動軸１９に対して一体回転可能に外嵌装着される基端部２２Ｄと、基端部２２Ｄの径方向外方側に位置して外周部に無端回動チェーン２６が巻回される巻き掛け部としての歯（係合突起）２２Ｂが備えられた輪体本体部２２Ｅとを備え、かつ、基端部２２Ｄが、輪体本体部２２Ｅよりも軸芯方向に突出する突出筒部７２を有する状態で輪体本体部２２Ｅよりも軸芯方向に幅広に形成されている。
【００７０】
図１３に示すように、断面六角形に形成された駆動軸１９の外周面には平面部１９Ａが備えられる。基端部２２Ｄにおける突出筒部７２のうち平面部１９Ａに対向する位置に、径方向に沿うネジ孔７３が形成され、ネジ孔７３を通してボルト５６が装着される。ボルト５６の先端は平坦面に形成され、平面部１９Ａに対して面当たり状態で接当して摩擦により軸芯方向の位置を規制するように構成されている。
【００７１】
そして、図１１，１２に示すように、左右のベアリング７０のインナーレース７０ａに対して左右方向内方側に接当して軸芯方向に位置固定された左右のリング状の受止め具７４と、左側の受止め具７４と左側の駆動スプロケット２２との間に設けられ、それらの間隔に相当する長さを有する左側筒部材７５と、左側の駆動スプロケット２２と右側の駆動スプロケット２２との間に設けられ、それらの間隔に相当する長さを有する中間側筒部材７６と、右側の駆動スプロケット２２と右側の受止め具７４との間に設けられ、それらの間隔に相当する長さを有する右側筒部材７７とが備えられている。上記各筒部材７５，７６，７７は、円筒形状であり、駆動軸１９の外端部に接する程度に外嵌装着されている。
【００７２】
このような構成において、例えば、左右の支持筒部２０に対して左側外方側から駆動軸１９を装着する場合には、右側の支持筒部２０にベアリング７０を装着して、右側の受止め具７４、右側筒部材７７、右側の駆動スプロケット２２、中間側筒部材７６、左側の駆動スプロケット２２、左側筒部材７５、左側の受止め具７４、及び、左側のベアリング７０を、その順序で、上記各部材同士が接当するように装着する。上記各部材同士が接当することにより、左右の駆動スプロケット２２の軸芯方向の位置が自ずと定まることになる。尚、巻付き防止カバー２９も合わせて装着される。
【００７３】
この場合には、右側の受止め具７４が接当部材Ｓに対応し、右側筒部材７７が第一筒部材Ｔ１に対応し、中間側筒部材７６が第二筒部材Ｔ２に対応し、左側筒部材７５と左側の受止め具７４とが固定部材Ｋに対応する。尚、左右の支持筒部２０に対して右側外方側から駆動軸１９を装着する場合には、左側の受止め具７４が接当部材Ｓに対応し、左側筒部材７５が第一筒部材Ｔ１に対応し、中間側筒部材７６が第二筒部材Ｔ２に対応し、右側筒部材７７と右側の受止め具７４とが固定部材Ｋに対応することになる。
【００７４】
（５）上記（４）に記載した実施形態では、左側筒部材７５と左側の受止め具７４とが固定部材Ｋに対応する、あるいは、右側筒部材７７と右側の受止め具７４とが固定部材Ｋに対応する構成としたが、このような構成に限らず、固定部材Ｋとして、例えば、駆動スプロケット２２の基端部２２Ｄを突出筒部７２とは反対側へ延長形成して、直接、ベアリング７０のインナーレース７０ａに当て付けて位置固定する構成等でもよく、要するに、他方側の下手側輪体（駆動スプロケット）を軸芯方向に位置固定可能なものであればよい。
【産業上の利用可能性】
【００７５】
本発明は、刈取部にて刈取られた刈取穀稈の全稈を後方に向けて搬送する穀稈搬送装置が備えられているコンバインに適用できる。
【符号の説明】
【００７６】
４        脱穀装置
９        扱胴
１０      刈取部
１１      フィーダ（穀稈搬送装置）
１８      フィーダケース（搬送ケース）
１９      駆動軸（下手側回転軸）
１９Ａ    平面部
２２      駆動スプロケット（下手側輪体）
２２Ｂ    巻き掛け部（歯）
２２Ｄ    基端部
２２Ｅ    輪体本体
２４      従動軸（上手側回転軸）
２５      従動スプロケット（上手側輪体）
２９      巻付き防止カバー
２９Ａ    一方側の分割カバー体
２９Ｂ    他方側の分割カバー体
３５      穀稈搬入口
５０      絞り部
５１      周溝
５２      重複部
５３      締結具
５６      ボルト
７２      突出筒部
７３      ネジ孔
ＣＬ１    左右中央位置
ＣＬ２    左右方向中央位置
Ｋ        固定部材
Ｓ        接当部材
Ｔ１      第一筒部材
Ｔ２      第二筒部材
【図１】
2019193622.tif 000003
【図２】
2019193622.tif 000004
【図３】
2019193622.tif 000005
【図４】
2019193622.tif 000006
【図５】
2019193622.tif 000007
【図６】
2019193622.tif 000008
【図７】
2019193622.tif 000009
【図８】
2019193622.tif 000010
【図９】
2019193622.tif 000011
【図１０】
2019193622.tif 000012
【図１１】
2019193622.tif 000013
【図１２】
2019193622.tif 000014
【図１３】
2019193622.tif 000015